(57)【特許請求の範囲】
【請求項１】
スキー又はスノーボードの滑走面に塗布されるワックスであって、畜光剤を含むことを特徴とするワックス。
【請求項２】
前記ワックスは、パラフィン系ワックスを含み、前記畜光剤は、硫化亜鉛系蓄光粉末又はアルミン酸ストロンチウム系蓄光粉末を含むことを特徴とする請求項１に記載のワックス。
【請求項３】
請求項1又は２に記載のワックスをスキー、スノーボードの滑走面に塗布し、削り落とした後、周囲を暗闇状態にし、滑走面の発光状態により、ワックスの削り残しを判別することを特徴とするワックスの塗布方法。
【発明の詳細な説明】
【技術分野】
【０００１】
本発明は、スキー、スノーボードなどの滑走面に使用されるワックス及びその塗布方法に関する。  
【背景技術】
【０００２】
スキーワックスは、より高い滑走性能を得る為にスキーの滑走面に塗布され用いられ、ワックシンング専用アイロンなどを用い塗布するホットワックスと呼ばれるものから、簡易に塗れるスプレータイプまで様々なタイプのスキーワックスが存在するが、この発明に関しパラフィンを主成分とするホットワックスを取り上げる。
現代のスキー、スノーボードの滑走面には一般的にポリエチレンが使用され、さらにはワックスの染み込みやすいように精製された超高分子ポリエチレンなど、滑走性を高める為のベース素材のものが多く採用されている。特にそれらの超高分子ポリエチレンの滑走面は定期的なワックシングによる滑走面のメンテナンスが重要で、ワックシングは滑走性能に大きく差を及ぼす。定期的なワックシングにより、滑走面の酸化を防ぎ、撥水性を保持する。雪温に合わせたワックスを選択、適切に塗布する事で最高の滑走性能を発揮する。
【０００３】
ホットワックシングには一般的にパラフィンを主成分とし調合されたスキー、スノーボード専用ワックスを用い、それらをワックシング専用アイロンなどで適切な熱をかけ溶かしこみ、熱膨張した滑走面のポリエチレンの分子間に染み込ませるよう塗布する。
【０００４】
ワックスを十分均一に染み込ませた後、ワックスが冷え常温になるのを待ってから、スクレイパー（一般的にはアクリルの板）などを使い、滑走面内部に染み込まず表面に残り固まった余分なワックスを全てきれいに削り落とし、最後にブラシングを行う。ブラシングではスクレイパーでは取りきれない余分なワックスをさらに削り、払い落とし、磨き上げ仕上げる。
滑走性能は正しいワックシングによって大きく左右される。ホットワックシングは滑走面にワックスが十分に染み込んだ状態を作る事が重要で、また余分なワックスが表面に残り膜を成していれば、コンディションによって雪の結晶がそれに刺さりブレーキとなるため、ホットワックスを塗布した後は全てきれいに余分なワックスを削り取り仕上げるのが基本となる。
【発明の概要】
【発明が解決しようとする課題】
【０００５】
上記一連のホットワックシングは、ワックスの効果を長く得られ、雪温に合わせ適切なワックスを選択する事で幅広いコンディションに対応可能で、もっとも優れた滑走性能得る為の基本的ワックシング方法でもある為、ある程度スキーやスノーボードを楽しめるレベルになれば、とても一般的で、最善なワクシング方法の一つとされる。
しかし、ユーザーによっては、間違った知識と習慣ですませてしまう場合が多々あり、個人レベルでのホットワックシングの施行において、ワックスが全てきれいに剥がされていない状態でスキーやスノーボードをしている状態を見かける事が多くある。ワックスの滑走性能を最大限に発揮したい場合、その状態では雪の結晶が滑走面表面に削り残こされたパラフィンに刺さりブレーキとなり、どんなにいいワックスを施行してもその真価は発揮されない。また、慣れ理解した者がワックシングを行っても、滑走面には何かしらのグラフィックが施されていれば、その柄にごまかされ、ワックスの削り残しを確実に発見するのが難しい事が多々あった。
そのため確実にワックスを剥がす事が出来ているかを簡単に確認でき、誰でも正しいワックシングが出来るようになるアイデアが欲しかった。
【課題を解決するための手段】
【０００６】
本発明のワックスは、スキー、スノーボードなどの滑走面に塗布されるワックスであって、それに畜光剤を含むことを特徴とする。
【発明の効果】
【０００７】
本発明の蓄光粉末配合のスキー、スノーボード用ホットワックスによれば、施行後、部屋を暗くしたり、またはブラックライトを照射したりする事により、ワックスをスクレイピングした際の削り残しを用意かつ確実に確認でき、それを解消出来るようにする。それにより、不完全なスクレイピングによって出来るブレーキングスポット（削り残し）を無くし、ワックス本来の性能を発揮出来る事をより確実にする。
本発明のワックスに添加される蓄光粉末による発光成分は、ワックスの削り残しが多く残っていれば残っているほどに明るく発光し滑走面に残る余分なワックスがある事を確実に示す。削り残しを確認後、作業者はただその光りがほぼ消え去るまで削り取れば、完全なスクレイピングが出来た事なる。
【０００８】
この発明による、確実に目視できる削り残しワックスの発光判別方法により、明るい光りの中では、滑走面に施されたグラフィックに誤摩化されよく見えかったワックスの削り残しや、滑走面にわずかに存在する凹凸によって、スクレイパーや、ブラシがあたりづらく、余分なワックスが残り易い場所に残されていたワックスの削り残しを、的確に狙い最後まで削り取る事が可能となる。
【０００９】
確実なスクレイピングと、ブラシングは、スキー、スノーボードの滑走性能を最大に引き出し、ワックシングによる最大の滑走効果を体感できる。
【発明を実施するための形態】
【００１０】
パラフィン系ワックスをベースとした各種スキー、スノーボード用ホットワックスに対し、０．５％〜１０％を限度に（蓄光粉末の色、性能により配合量は変動）蓄光粉末を混ぜ合わせ調合する。パラフィンベースの各スキー、スノーボード専用ワックスで、スクレイピング作業を必要とする物であれば、同様の効果を得られる。使用する蓄光粉末の性能を考慮し、確実な発光性能が得られる適量をワックスに混ぜ合わせる事によって、全ての温度帯のワックスに対応する。
実験の結果では、ワックシング作業に慣れた者が、明るい光りの元で十分にスクレイピング、ブラシングをし、ワックシングを完了させたスキーやスノーボードでさえ、部屋を暗くすることにより、削り残されたワックスが光った状態で確認された。発光量は残されたワックスの量に比例する。ワックシング作業に慣れぬ者のスキーやスノーボードに残る削り残しはより明るく光り示された。
【００１１】
ワックスとしては、例えばハイドロカーボンワックス、またはフルオロカーボンなどを用いる。また、蓄光粉末としては、例えば、硫化亜鉛系蓄光粉末、アルミン酸ストロンチウム系蓄光粉末などがあり、粒度は大きいほど輝度は上がるが、ワックスを調合する際やワックスを専用アイロンで塗り込む際に支障をきたさない程度の平均粒度をもつもの、平均６０μｍ以下が望ましい。
【００１２】
蓄光粉末の含有量の下限は、発光時の視認性を良好にするという点で選定され、また、上限はワックスの製造コストを含め発光時の視認性など機能的必要量を満たす点で選定される。例えば、一般的に蓄光性能が低い赤やオレンジ、黄色の粉末は、その発光性能を考慮し３％以上含有させることが好ましく、また、比較的発光性能が良い緑、青系の粉末であれば1％ほどであっても一定の効果は得られる。
【要約】      （修正有）【課題】ホワイトワックシングの施行において、ワックスの削り残しを確実に発見することが容易にできるワックスの提供およびそれを用いるワックスの塗布方法を提供する。【解決手段】スキー又はスノーボードなどの滑走面に塗布されるワックスであって、畜光剤を含むことを特徴とするワックス。前記ワックスをスキー、スノーボードなどの滑走面に塗布し、削り落とした後、周囲を暗闇状態にし、滑走面の発光状態により、ワックスの削り残しを判別することを特徴とするワックスの塗布方法。【選択図】なし